(57)【要約】【課題】サイズの小さい部材を用いて保守用ねじの侵入を所定の範囲に押さえることが可能な保守用ねじによる破損防止金具を提供する。【解決手段】シャーシへの締着面を形成する第１の平面部１ａと、第１の平面部１ａより垂直に立ち上がった第２の平面部１ｂと、第２の平面部１ｂから第１の平面部１ａと平行方向に曲げられた第３の平面部１ｃと、第２の平面部１ｂから第１の平面部１ａと第２の平面部１ｂとに直交する方向に曲げられた第４の平面部１ｄとにより形成し、第４の平面部１ｄに保守用ねじの先端部と係合するスリット１ｆを設け、保守用ねじがスリット１ｆと係合して第４の平面部１ｄを押すときに第４の平面部１ｄが第１の平面部１ａおよび第３の平面部１ｃと当接して変形が制限されるように構成した。【選択図】　　　　図１
2004108437.tif 000002
【特許請求の範囲】
【請求項１】
シャーシへの締着面を形成する第１の平面部と、前記第１の平面部より垂直に立ち上がった第２の平面部と、前記第２の平面部から前記第１の平面部と平行方向に曲げられた第３の平面部と、前記第２の平面部から前記第１の平面部と第２の平面部とに直交する方向に曲げられた第４の平面部とを備え、前記第４の平面部に保守用ねじの先端部と係合する穴またはスリットを設け、保守用ねじが前記穴またはスリットと係合して前記第４の平面部を押すときに第４の平面部が前記第１の平面部および第３の平面部と当接して変形が制限されるように構成した保守用ねじによる破損防止金具。
【請求項２】
前記第２の平面部から折り曲げられた舌片を設け前記舌片をシャーシに近接または当接するように配置し、保守用ねじが前記穴またはスリットと係合して前記第４の平面部を押すときに前記舌片がシャーシと当接して変位が制限されるように構成した請求項２の保守用ねじによる破損防止金具。
【発明の詳細な説明】
【０００１】
【発明の属する技術分野】
この発明は電子機器に係わり、特に、保守用ねじによる破損防止対策に関する。
【０００２】
【従来の技術】
電子機器に関する安全規格において、修理の際に外されるねじについては、元のねじと異なる長さのねじが使用される場合を考慮して、ねじの径の１０倍の長さのねじをねじ込んだ時に、電源コンセントから絶縁トランスの入力側（一次回路）の部品と電圧により要求される距離以上、すなわち、最大で７ｍｍ以上の距離離さなければならない。また、ねじにより破損してはならないと決められている。
【０００３】
この規格を満足させるため、従来は電子機器のサイズをある程度大きくして一次回路の部品をねじから離れるように配置していた。または、寸法が大きく強度のある板金を取り付けてねじの侵入を阻止していた。
【０００４】
特開平１１−２９４４３６号公報に提案されたねじの誤挿入防止構造では筐体に固定された回転止め部にねじ挿入部を固定し、ねじ挿入部には挿入されるおねじと螺合するめねじと異なるピッチのめねじ等が形成されており、ねじの回転を止める構造となっている。
【０００５】
【特許文献１】特開平１１−２９４４３６号公報（第３頁、図１）
【０００６】
【発明が解決しようとする課題】
上記した従来の一次回路の部品とねじとの距離を大きくするものでは電子機器のサイズを小さくすることが困難であった。また、寸法が大きく強度のある板金を取り付けたものは、板金が大きくなるため、材料費が増え、また強度を持たせる形状とするための曲げ加工等の工程がコストアップの要因となっていた。
【０００７】
特開平１１−２９４４３６号公報に提案されたねじの誤挿入防止構造では回転止め部を小さくすることができるが、めねじ等の加工をしなければならず、製造コストが高くなるという問題があった。
【０００８】
この発明は上記した点に鑑みてなされたものであって、その目的とするところは、サイズの小さい部材を用いて保守用ねじの侵入を所定の範囲に押さえることが可能であり、製造コストの安い保守用ねじによる破損防止金具を提供することにある。
【０００９】
【課題を解決するための手段】
この発明の保守用ねじによる破損防止金具は、シャーシへの締着面を形成する第１の平面部と、前記第１の平面部より垂直に立ち上がった第２の平面部と、前記第２の平面部から前記第１の平面部と平行方向に曲げられた第３の平面部と、前記第２の平面部から前記第１の平面部と第２の平面部とに直交する方向に曲げられた第４の平面部とを備え、前記第４の平面部に保守用ねじの先端部と係合する穴またはスリットを設け、保守用ねじが前記穴またはスリットと係合して前記第４の平面部を押すときに第４の平面部が前記第１の平面部および第３の平面部と当接して変形が制限されるように構成したものである。
【００１０】
また、前記保守用ねじによる破損防止金具において、前記第２の平面部から折り曲げられた舌片を設け前記舌片をシャーシに近接または当接するように配置し、保守用ねじが前記穴またはスリットと係合して前記第４の平面部を押すときに前記舌片がシャーシと当接して変位が制限されるように構成したものである。
【００１１】
【発明の実施の形態】
この発明の実施例である破損防止金具を図面に基づいて説明する。図１はこの発明の実施例である破損防止金具を示す斜視図である。図に示す破損防止金具１はシャーシへの締着面を形成する第１の平面部１ａと、第１の平面部１ａより垂直に立ち上がった第２の平面部と１ｂ、第２の平面部１ｂから第１の平面部１ａと平行方向に曲げられた第３の平面部１ｃと、第２の平面部１ｂから第１の平面部１ａと第２の平面部１ｃとに直交する方向に曲げられた第４の平面部１ｄとを備えている。
【００１２】
第１の平面部１ａにはシャーシに締着するための穴１ｅが形成され、第４の平面部１ｄに保守用ねじの先端部と係合するスリット１ｆが形成されている。また、第２の平面部１ｂには折り曲げられた舌片１ｇが形成されている。
【００１３】
図２および図３に破損防止金具１がシャーシ２に締着された状態を示す。破損防止金具１は穴１ｅを挿通するねじによりシャーシ２に締着されるが、図２および図３にはそのねじを図示していない。この状態で、舌片１ｇはシャーシ２に当接または近接するように配置される。
【００１４】
このように破損防止金具１がシャーシ２に締着された状態において、長い保守用ねじ３がねじ込まれると保守用ねじ３の先端部はスリット１ｆに係合する。なお、保守用ねじ３と螺合するめねじを有する部材は図示していない。このように保守用ねじ３がスリット１ｆに係合するので、破損防止金具１と当接しても図２に示すＡ方向に変形しない。
【００１５】
第４の平面部１ｄが保守用ねじ３に押されて図２に示す一点鎖線で示すように変形する場合にも、ねじ締めの力が規格の７．５ｋｇｆ以下であれば第４の平面部１ｄは第１の平面部１ａおよび第３の平面部１ｃとの当接により変形が制限される。また、第２の平面部１ｂのＢ方向の変位は舌片１ｇとシャーシ２との当接により制限される。
【００１６】
実施例の場合、破損防止金具１をＷ１４．４ｍｍ×Ｌ１９．０ｍｍ×Ｄ９．５ｍｍと小さい寸法とすることができた。また、ねじ１本で破損防止金具１をシャーシに締着するだけでよく、組み立てが簡単である。そして、一次回路の部品を保守用ねじの侵入が阻止される範囲の限界までに配置できるので装置のサイズを小さくできた。
【００１７】
実施例の場合は、保守用ねじと係合する部分をスリットとしたため、１種類の部品を広範囲に使用することができたが、保守用ねじに対して一定の位置関係のみに用いられる場合はスリットを丸穴としてもよい。また、破損防止の対象は一次回路の部品に限られず、他の部品の保護のために用いることもできる。
【００１８】
【発明の効果】
この発明の保守用ねじによる破損防止金具によれば、サイズの小さい部材で保守用ねじの侵入による破損を防止できる。また、破損防止金具の組み付けを１本のねじにより行うことができ、組み立て工数が大幅に増えることがない。
【図面の簡単な説明】
【図１】この発明の実施例である破損防止金具を示す斜視図である。
【図２】同破損防止金具の使用状態を一部断面として示す平面図である。
【図３】同破損防止金具の使用状態を示す正面図である。
【符号の説明】
１　破損防止金具、１ａ　第１の平面部、１ｂ　第２の平面部
１ｃ　第３の平面部、１ｄ　第４の平面部、１ｅ　穴、１ｆ　スリット
１ｇ　舌片
２　シャーシ
３　保守用ねじ
【図１】
2004108437.tif 000003
【図２】
2004108437.tif 000004
【図３】
2004108437.tif 000005